(57)【要約】      （修正有）【課題】表面材を任意に選択でき更に複合パネルの厚みを自由に選択することができると共に、運搬及びハンドリングがし易く、容易且つ安価な建築用複合パネル及びその施工方法を提供する。【解決手段】片面に、嵌合用の凹部２を並置し、端部を相欠きとし、他面に板材を貼着した建築用複合パネルを基材とし、該基材の凹部２に、嵌合用の凸部４を片面或いは両面に有する部材を嵌合して取付施工する。該硬質発泡プラスチック板１の他面に貼着する板材は、合板、木質系板、金属製板、プラスチック製板、無機質系板等である。又基材の凹部に嵌合する凸部を片面或いは両面に有する部材の材質は木製、金属製、プラスチック製、押出しセメント製或いはこれ等の組合せ等である。厚さ調整用スペイサー８の片面に嵌合用の凸部４を並置し、他面に嵌合用の凹部７を並置せしめ、この凹部に、嵌合用の凸部４もしくは凹部２を有する部材に嵌合させて取付施工する。【選択図】  図５
2004324386.tif 000002
【特許請求の範囲】
【請求項１】
硬質発泡プラスチック板の片面に、嵌合用の凹部を並置し、端部を相欠きとした硬質発泡プラスチック板の他面に板材を貼着した建築用複合パネルを基材とし、該基材の凹部に、嵌合用の凸部を片面或いは両面に有する部材を嵌合して取付施工することを特徴とする建築用複合パネル及びその施工方法。
【請求項２】
該硬質発泡プラスチック板の他面に貼着する板材が、合板、木質系板、金属製板、プラスチック製板、無機質系板等であることを特徴とする請求項１記載の建築用複合パネル及びその施工方法。
【請求項３】
基材の凹部に嵌合する凸部を片面或いは両面に有する部材の材質は、木製、金属製、プラスチック製、押出しセメント製或いはこれ等の組合せ等であることを特徴とする請求項１記載の建築用複合パネル及びその施工方法。
【請求項４】
建築用複合パネルの厚さを大きくしたい場合、硬質発砲プラスチック板を厚さ調整用スペイサーとし、該スペイサーの片面に嵌合用の凸部を並置し、厚さを増したい建築用複合パネルの凹部と嵌合させ、該スペイサーの他面に嵌合用の凹部を並置せしめ、該スペイサーの凹部に、嵌合用の凸部を有する部材を嵌合させて、取付施工することを特徴とする請求項１記載の建築用複合パネル及びその施工方法。
【発明の詳細な説明】
【０００１】
【発明の属する技術分野】
本発明は建造物の床、壁、屋根、塀、門、物置、雪除け或いは風除け用の二重玄関などに使用する建築用パネル及びその施工方法に関するするもので強度があり、運搬及びハンドリングし易く、容易に取付施工のできる優れた建築用複合パネル及びその施工方法である。
【０００２】
【従来の技術】
従来建造物等の床、壁、屋根、塀、門、物置、雪除け或いは風除け用の二重玄関などに各種のパネルが使用されている。パネルとは、それ自身で平面を維持できる程度の強さを持った板状のものであり、例えば主に杉、松、檜などの小幅板と桟木を組み立てて作製し、ユニット化したコンクリートの堰板は代表的なパネルである。複合パネルは、２種以上の異なった材料の部材を組み合わせて一体とし、単一の部材では期待できない性質を持たせたものである。部材の組み合わせの形態としては、芯材の表面又は芯材の両面に表面板で構成されいる複合パネル、２種以上の異なった材料の部材が積層されている積層複合パネルが有る。
【０００３】
複合パネルに期待する性能としては、軽量化、施工性、物理的強度の向上、耐久性、耐候性、耐火性、機能性、デザイン性、環境性、防音性、遮音性、吸音性等が有るが、これ等の性能を全て満足できるものは存在しない。例えば従来技術にアルミハニカム又はペーパーハニカムを芯材に使った複合パネル、硬質発泡プラスチックを芯材とした複合パネル等が有るが、当然上記全ての性質を満足するものではない。特に従来の複合パネルの表面材は固定的なものであり、又複合パネルの寸法特に厚みに対しては自由度が極めて低いものであった。
【０００４】
複合パネルが要求する性能を必要にして充分満たすと共に表面材を任意に選択することができ、更に厚みに対しても任意に選択することが可能で、しかもこれ等の作業並びに組立施工を現場において容易に行なうことのできる建築用複合パネル及びその施工方法は従来存在しなかったのである。
【０００５】
従来の技術ではかかる建築用複合パネルは存在しなかった為、施工方法も存在しなかったのである。従来技術では一般の建築用複合パネルの場合その取付施工は、基本的にはネジ止め、タッピングネジ、ボルト止め、釘止め、フックボルト、特殊グリップ等の取付金物を用いて行なわれてているのである。
【０００６】
【発明が解決しようとする課題】
本発明はかかる実情に鑑みなされたもので、複合パネルが要求する性能を必要にして充分満たし、表面材を任意に選択でき更に複合パネルの厚みを自由に選択することができると共に、運搬及びハンドリングがし易く、現場において容易且つ安価に取付施工することのできる建築用複合パネル及びその施工方法を提供することを目的としている。
【０００７】
【課題を解決するための手段】
硬質発泡プラスチック板の片面に、嵌合用の凹部を並置し、端部を相欠きとした硬質発泡プラスチック板の他面に板材を貼着した建築用複合パネルを基材とし、該基材の凹部に、嵌合用の凸部を片面或いは両面に有する部材を嵌合して取付施工する。該硬質発泡プラスチック板の他面に貼着する板材は、合板、木質系板、金属製板、プラスチック製板、無機質系板等である。又基材の凹部に嵌合する凸部を片面或いは両面に有する部材の材質は、木製、金属製、プラスチック製、押出しセメント製或いはこれ等の組合せ等である。
【０００８】
建築用複合パネルの厚さを大きくしたい場合、硬質発砲プラスチック板を厚さ調整用スペイサーとし、このスペイサーの片面に嵌合用の凸部を並置し、厚さを増したい建築用複合パネルの凹部と嵌合させ、このスペイサーの他面に嵌合用の凹部を並置せしめこの凹部に、嵌合用の凸部を有する部材に嵌合させて取付施工する。
【０００９】
【発明の実施の形態】
本発明に係る建築用複合パネルに使用する硬質発泡プラスチック板は押出成形又はビーズ成形によって形成するもので、発泡倍率は、１０〜３０倍発泡が好適である。プラスチックの材質は押出成形又はビーズ成形できるものであれば良く、塩化ビニール、ポリスチレン、ポリウレタン、フェノール、ポリイソシアヌレート等が好適に使用できる。硬質発泡プラスチック板の寸法は、任意に定めることが出来、軽量であるから大きな寸法例えば３×６尺も可能である。硬質発泡プラスチック板の厚みは、板の大きさによって異なるが５０〜１５０ｍｍの範囲が好適である。
【００１０】
硬質発泡プラスチック板の片面に嵌合用の凹部を並置して凹部嵌合面を有し、端部を相欠きとした硬質発泡プラスチック板の他面に合板、木質系板、金属製板、プラスチック製板、無機質系板等の板材を貼着して建築用複合パネルを構成する。端部の相欠きは、建築用複合パネルが縦方向及び横方向に連続して積層或いは横積みすることができるよう、建築用複合パネルの相欠きの形状は建築用複合パネルの上下及び左右がそれぞれ逆に形成されている。
【００１１】
建築用複合パネルの施工は、硬質発泡プラスチック板に形成されている凹部に、嵌合用の凸部を片面或いは両面に有する部材を嵌合して取付施工する。この際軽微で形状寸法が小さい場合は、接着剤を使用せず嵌合させたままで充分であるが、形状寸法が大きい場合は、嵌合面に接着剤を塗布する。接着剤は、使用する硬質発泡プラスチックの材質によるが、一般にアクリル樹脂系エマルジョン形、エチレン・酢ビ共重合樹脂系エマルジョン形、酢酸ビニル樹脂系エマルジョン形、ゴム系ラテックス形、エポキシ樹脂系、ウレタン系、酢酸ビニル樹脂系溶剤形、アクリル・酢ビ共重合樹脂系溶剤形、クロロプレンゴム系溶剤形、ニトリルゴム系溶剤形等が使用できる。
【００１２】
硬質発泡プラスチック板の片面に形成する嵌合用の凹部を並置して、凹部嵌合面を有し、端部を相欠きとした硬質発泡プラスチック板の形状を、図１に例示したがかかる形状に特に限定するものではなく、凹凸嵌合面が緊結し剥離しない形状であれば良い。嵌合する方法は、凹凸嵌合面が剥離することなくしかも容易に嵌合できることで、凹凸嵌合面同志を縦方向からスライドして嵌合させる方法が好適である。
【００１３】
硬質発泡プラスチック板の片面に形成せしめる凹部は、所定の間隔で所定の寸法とする。所定の間隔とは、凹部の中心距離が１００〜２００ｍｍの範囲が好適である。凹部の中心距離が１００ｍｍより短いと嵌合部の数が多くなる反面、凸部及び凹部の大きさを小さくせざるを得なくなり、嵌合部全体の水平剥離強度が低下する。又凹部の中心距離を２００ｍｍ以上にすると、嵌合部の数は逆に少なくなり、やはり嵌合部全体の水平剥離強度は低下する。
【００１４】
硬質発泡プラスチック板の表面に形成せしめる凹部の形状は、入り口部分は狭く奥が広くなっている。入り口から奥までの垂直距離は、２０〜５０ｍｍの範囲が好適である。凸部の形状は、凹部の形状とほぼ同じであり、凸部が凹部に隙間無く入り緊結する。
【００１５】
硬質発泡プラスチック板の片面に形成する嵌合用の凹部に、嵌合用の凸部を片面或いは両面に有する部材は、実際の施工に於ては、柱、梁、根太、垂木、胴縁等がその役割を担うものである。従ってその材質は木製、金属製、プラスチック製、押出しセメント製或いはこれ等の組合せ等が含まれるのである。即ちこれ等の素材に直接凸部を形成せしめる場合と、例えば木製の柱にアルミニウム製の押出し型材からなる凸部を取付けて、木製とアルミニウム製の組合せによって形成することも可能なのである。
【００１６】
本発明に係る建築用複合パネルは、同寸法のパネルを嵌合用の凸部を両面に有する部材を介して表裏に嵌合して、一体化しても良いが、片側は大きなパネルを１枚としてもう一方の側は中心から振り分けて４枚のパネルを嵌合取り付け、パネルの継ぎ目なしの組合せも作製することができる。かかる方法は建築用複合パネルの運搬、ハンドリング、現場組立作業等を極めて容易にできる。
【００１７】
建築用複合パネルの嵌合面を有する硬質発泡プラスチック板は、予め工場においてその表面に各種の板材を貼着する。各種の板材とは、合板、木質系板、金属製板、プラスチック製板、無機質系板等で建築用複合パネルの用途によってその材質及び厚みを自由に選択することができる。
【００１８】
建築用複合パネルの厚さを大きくしたい場合は、厚さ調整用スペイサーを使用する。厚さ調整用スペイサーは、一枚の硬質発泡プラスチック板の片面に嵌合用の凸部を並置し、他面に嵌合用の凹部を並置している。硬質発泡プラスチック板の片面の凸部嵌合面に、厚さを増したい建築用複合パネルの凹部を嵌合させ、このスペイサーの他面にある嵌合用の凹部に、嵌合用の凸部を有する部材を嵌合させて取付施工する。このようなスペーサーを使用することによって、所定厚の建築用複合パネルを容易、簡便に作製し取付施工することができる。
【００１９】
建築用複合パネルの取付施工は、一般の場合は柱、梁、根太、垂木、胴縁等の役割を担うべき部材の片面或いは両面に嵌合用の凸部を形成せしめ、建築用複合パネル裏面に形成されている嵌合用の凹部に嵌合させ取付施工する。又塀、間仕切り壁、壁等で両面が化粧面として外面となるものを取付施工する場合は、両面に嵌合用の凸部を形成した柱の両側にそれぞれ建築用複合パネルを嵌合させ、所定位置に立設又は設置し、端部を相欠きとした硬質発泡プラスチック板の部分を相欠き継ぎで積層或いは横積みして組立固定する。屋外に施工する場合又は屋内でも地面に直接立設固定する場合は、捨てコンクリート等を打設した上部に柱を立て建築用複合パネルを嵌合立設し、組立固定した柱の両側に有る建築用複合パネル間の中空部分に、コンクリートを打設し、所要の幅及び高さに積層或いは横積みして取付施工する。
【００２０】
コンクリートを打設する場合、組立固定した建築用複合パネル間の中空部分の内部周囲にプラスチックフイルムを張着し、プラスチックフイルムの内部にコンクリートを打設するのが好適である。これは建築用複合パネルの接合箇所からコンクリートが漏れて、白華現象等により建築用複合パネル表面の汚染を防止するためである。但し軽微な場合は、コンクリートの打設は不要である。
【００２１】
【実施例】
本発明の実施例を図面に基づき具体的に説明する。
【００２２】
実施例１  本発明の実施例は、本発明になる建築用複合パネルを使用して取付施工した物置である。発泡倍率１５倍でポリスチレンをビース成形して、厚さ５４ｍｍ、縦３１０ｍｍ、横８１２ｍｍの硬質発泡プラスチック板の片面に凹部を７列形成した。図１は以上の嵌合用凹部を有する硬質発泡プラスチック板の断面図を示したもので、作製したこの凹部嵌合面を有する硬質発泡プラスチック板の他面に、厚さ６ｍｍでタイル模様にプリントした化粧済珪酸カルシウム板を貼着し、物置の外壁を構成する化粧済建築用複合パネルを作製した。次に凹部嵌合面を有する硬質発泡プラスチック板の他面に、厚さ６ｍｍの合板を貼着して物置の内壁を構成する合板張り建築用複合パネルを作製した。
【００２３】
図２は建築用複合パネルの凹部に嵌合させる凸部を両面に形成した木製の柱の断面図である。図３は、凸部を両面に形成した木製の柱の片面に化粧済建築用複合パネル、及び他面に合板張り建築用複合パネルを嵌合緊結させた物置の内外壁を示す断面図である。物置の根太や垂木等は凸部を片面に形成した部材使用して、これ等に建築用複合パネルを嵌合緊結した。図４はその例を示した断面図である。
【００２４】
物置の基礎の上に土台を置き、嵌合用の凸部を形成した柱及び間柱を立て、物置の外側に化粧済建築用複合パネル、物置の内側に合板張り建築用複合パネルを嵌合緊結させた。床は嵌合用の凸部を片面に形成した木製の根太を組み込み、これに合板張り建築用複合パネルを嵌合緊結させた。屋根は嵌合用の凸部を片面に形成した垂木を組み込み、これに化粧済建築用複合パネルを使用して取付施工した。図６は、物置の一部切欠き斜視図である。
【００２５】
実施例２  化粧済建築用複合パネルの厚さを１６０ｍｍにするため、厚さ１２６ｍｍの厚さ調整用のスペイサーを作製した。厚さ調節用スペイサーの表面に実施例１で使用した厚さ６ｍｍでタイル模様にプリントした化粧済珪酸カルシウム板を貼着した嵌合用凹部を有する硬質発泡プラスチック板を嵌合させた。次にこのスペーサーの凹部に、嵌合用の凸部を両面に有する柱を嵌合させ、柱の他面に有る嵌合用凸部に、厚さ６ｍｍの合板を貼着した嵌合用凹部を有する合板張り建築用複合パネルを嵌合させた。かかる如くして凸部を両面に有する柱を介して物置の外側及び内側にそれぞれ建築用複合パネルを嵌合緊結させ、実施例１と同様の方法で大型の物置を組立て取付施工した。
【００２６】
【発明の効果】
本発明に係る建築用複合パネル及びその施工方法は、建造物の床、壁、屋根、塀、門、物置、雪除け或いは風除け用の二重玄関などの設計施工に採用することができ、複合パネルが要求する性能を充分満たし、表面材をその目的に応じて任意に選択すること及び複合パネルの厚みを自由に選択することができると共に、運搬及びハンドリングがし易く、現場において容易且つ安価に組立て取付施工することのできることが実証できた。
【図面の簡単な説明】
【図１】嵌合用凹部を有する硬質発泡プラスチック板の断面図
【図２】嵌合用凸部を両面に有する柱の断面図
【図３】両面に嵌合緊結させた建築用複合パネルの断面図
【図４】片面に嵌合緊結させた建築用複合パネルの断面図
【図５】厚さ調整用のスペイサーを使用した断面図
【図６】組立施工した物置の一部切欠き斜視図
【符号の説明】
１．硬質発泡プラスチック板
２．嵌合用凹部
３．相欠き部
４．嵌合用凸部
５．柱
６．化粧済珪酸カルシウム板
７．合板
８．厚さ調整用スペイサー
９．物置
１０．化粧済建築用複合パネル
１１．ドア
１２．屋根
１３．基礎
１４．土台
１５  間柱
１６．合板張り建築用複合パネル
【図１】
2004324386.tif 000003
【図２】
2004324386.tif 000004
【図３】
2004324386.tif 000005
【図４】
2004324386.tif 000006
【図５】
2004324386.tif 000007
【図６】
2004324386.tif 000008